(57)【要約】【課題】光源に外光を利用する表示パネルを備える表示装置において、外光が十分でないことに起因して視認性が低下した色が画面に表示されることを防止した表示装置を提供する。【解決手段】表示装置１は、透光性を有し、光源に外光を利用する液晶表示パネル５と、液晶表示パネル５の裏面に重ねて配置され、画面の任意の領域で白色を表示可能な透光性の有機ＥＬパネル６と、液晶表示パネル５が有する画素に形成される色に応じて、当該画素に対応する有機ＥＬパネル６の領域に白色を表示させる制御部３０と、を備える。【選択図】図１
2010243546.tif 000002
【特許請求の範囲】
【請求項１】
透光性を有し、光源に外光を利用する液晶表示パネルと、
前記液晶表示パネルの裏面に重ねて配置され、画面の任意の領域で白色を表示可能な透光性の自発光型表示パネルと、
前記液晶表示パネルが有する画素に形成される色に応じて、当該画素に対応する前記自発光型表示パネルの領域に白色を表示させる表示制御部と、を備えることを特徴とする表示装置。
【請求項２】
前記自発光型表示パネルは、前記液晶表示パネルが有する画素に各々対応する複数の領域を有し、これら各領域が前記液晶表示パネルの画素に重なるように、前記液晶表示パネルの裏面に配置され、
前記表示制御部は、前記液晶表示パネルの各画素に形成される色に応じて、当該画素の裏側に位置する前記自発光型表示パネルの領域に白色を表示させることを特徴とする請求項１に記載の表示装置。
【請求項３】
前記表示制御部は、前記液晶表示パネルにおいて所定の閾値を上回る明度の色が形成された画素を検出し、この検出した画素の裏側に位置する前記自発光型表示パネルの領域に白色を表示させることを特徴とする請求項２に記載の表示装置。
【請求項４】
外光の照度を検出する照度センサーを備え、
前記表示制御部は、前記照度センサーにより検出された外光の照度及び前記液晶表示パネルの画素に形成される色に基づいて、当該画素に対応する前記自発光型表示パネルの領域に白色を表示させることを特徴とする請求項１から３のいずれかに記載の表示装置。
【請求項５】
透光性を有し、光源に外光を利用する液晶表示パネルと、
前記液晶表示パネルの裏面に重ねて配置され、画面の任意の領域で白色を表示可能な透光性の自発光型表示パネルと、を備える表示装置を制御して、
前記液晶表示パネルが有する画素に形成される色を検出し、検出した色に応じて、当該画素に対応する前記自発光型表示パネルの領域に白色を表示することを特徴とする表示装置の制御方法。
【発明の詳細な説明】
【技術分野】
【０００１】
本発明は、光源に外光を利用する表示パネルを備える表示装置及びこの表示装置の制御方法に関する。
【背景技術】
【０００２】
従来、外光を反射して画像の表示を行う反射型液晶表示装置が知られている（例えば、特許文献１参照）。
【先行技術文献】
【特許文献】
【０００３】
【特許文献１】特開２０００−１９９８９７号公報
【発明の概要】
【発明が解決しようとする課題】
【０００４】
しかしながら、上述した反射型液晶表示装置のように外光を利用して画像を表示する表示装置では、外光が十分でない場合、色によっては、視認性が低下した状態で画面に表示されてしまうことがある。
本発明は、上述した事情に鑑みてなされたものであり、光源に外光を利用する表示パネルを備える表示装置において、外光が十分でないことに起因して視認性が低下した色が画面に表示されることを防止した表示装置を提供することを目的とする。
【課題を解決するための手段】
【０００５】
上記目的を達成するために、本発明は、透光性を有し、光源に外光を利用する液晶表示パネルと、前記液晶表示パネルの裏面に重ねて配置され、画面の任意の領域で白色を表示可能な透光性の自発光型表示パネルと、前記液晶表示パネルが有する画素に形成される色に応じて、当該画素に対応する前記自発光型表示パネルの領域に白色を表示させる表示制御部と、を備えることを特徴とする。
この構成によれば、液晶表示パネルが有する画素に形成される色に応じて、当該画素に対応する自発光型表示パネルの領域に白色を表示させるため、外光が十分でない場合に視認性が低下した状態で表示される色を液晶表示パネルが有する画素に形成する場合であって、外光が十分でない場合、当該画素に対応する自発光型表示パネルの領域に白色を表示させて当該領域を光源として機能させ、外光の不足を補うことにより、外光が十分でないことに起因して視認性が低下した色が画面に表示されることを防止することができる。
【０００６】
ここで、上記発明の表示装置において、前記自発光型表示パネルは、前記液晶表示パネルが有する画素に各々対応する複数の領域を有し、これら各領域が前記液晶表示パネルの画素に重なるように、前記液晶表示パネルの裏面に配置され、前記表示制御部は、前記液晶表示パネルの各画素に形成される色に応じて、当該画素の裏側に位置する前記自発光型表示パネルの領域に白色を表示させるようにしてもよい。
この構成によれば、液晶表示パネルの各画素について、画素に対応する自発光型表示パネルの領域に白色を表示させることにより、外光が十分でないことに起因して視認性が低下した色が画面に表示されることを防止することができる。
【０００７】
また、上記発明の表示装置において、前記表示制御部は、前記液晶表示パネルにおいて所定の閾値を上回る明度の色が形成された画素を検出し、この検出した画素の裏側に位置する前記自発光型表示パネルの領域に白色を表示させるようにしてもよい。
ここで、所定の閾値は、当該所定の閾値を下回る色については、明度が低いため、外光が十分でない場合であっても視認性が低下しない一方、当該所定の閾値を上回る色については、明度が高いため、外光が十分でない場合、視認性が低下するような値に定められる。
そして、上記構成によれば、外光が十分でない場合に視認性が低下する色について、当該色を形成する液晶表示パネルの画素に対応する自発光型表示パネルの領域に白色を表示することによって当該色の視認性の低下を防止できると共に、外光が十分でない場合であっても視認性が低下しない色については、自発光型表示パネルの領域に白色を表示することに起因して悪影響が及ぼされることを防止できる。
【０００８】
また、上記発明の表示装置において、外光の照度を検出する照度センサーを備え、前記表示制御部は、前記照度センサーにより検出された外光の照度及び前記液晶表示パネルの画素に形成される色に基づいて、当該画素に対応する前記自発光型表示パネルの領域に白色を表示させるようにしてもよい。
この構成によれば、照度センサーにより外光の照度を検出することによって、外光が十分でないことを適切に検出することができ、外光が十分でないことに起因して視認性が低下するような状況の場合に自発光表示パネルに白色を表示することにより、視認性が低下した色が画面に表示されることを防止することができる。
【０００９】
また、上記目的を達成するために、本発明は、透光性を有し、光源に外光を利用する液晶表示パネルと、前記液晶表示パネルの裏面に重ねて配置され、画面の任意の領域で白色を表示可能な透光性の自発光型表示パネルと、を備える表示装置を制御して、前記液晶表示パネルが有する画素に形成される色を検出し、検出した色に応じて、当該画素に対応する前記自発光型表示パネルの領域に白色を表示することを特徴とする。
この制御方法によれば、液晶表示パネルが有する画素に形成される色に応じて、当該画素に対応する自発光型表示パネルの領域に白色を表示させるため、外光が十分でない場合に視認性が低下した状態で表示される色を液晶表示パネルが有する画素に形成する場合であって、外光が十分でない場合、当該画素に対応する自発光型表示パネルの領域に白色を表示させて外光を補うことにより、外光が十分でないことに起因して視認性が低下した色が画面に表示されることを防止することができる。
【発明の効果】
【００１０】
本発明によれば、光源に外光を利用する表示パネルを備える表示装置において、外光が十分でないことに起因して視認性が低下した色が画面に表示されることを防止できる。
【図面の簡単な説明】
【００１１】
【図１】本実施形態に係る表示装置の構成を示す図である。
【図２】表示装置の構成を示す図である。
【図３】表示装置の要部断面図である。
【図４】発光制御テーブルの構成を模式的に示す図である。
【図５】表示装置の動作を示すフローチャートである。
【発明を実施するための形態】
【００１２】
以下、図面を参照して本発明の実施形態について説明する。
図１は、表示装置１の構成を示す図である。なお、以下の説明では、表示装置１において、ユーザーが画像を視認する側の面を前面といい、その裏側の面を背面という。
図１に示すように、表示装置１は、液晶表示パネル５と、この液晶表示パネル５の背面側に重ねて配置された有機ＥＬパネル６（自発光型表示パネル）とを備えている。表示装置１は、液晶表示パネル５に動画に係る画像や、静止画に係る画像などの各種画像を表示することにより、画像を表示する。本実施形態では、液晶表示パネル５及び有機ＥＬパネル６のいずれも透光性を有し、かつ、遮光のための遮光板を備えていないため、ユーザーが画像の表示中に正面から表示装置１を見た場合、表示装置１の後方に存在する物や人物などが透けて見える。
【００１３】
図２（Ａ）は、表示装置１の構成を示す図であり、特に、液晶表示パネル５における表示領域である液晶側表示画面８、及び、有機ＥＬパネル６における表示領域であるＥＬ側表示画面９の構成を模式的に示す図である。
また、図２（Ｂ）は、液晶側表示画面８に形成された液晶側画素１０、及び、ＥＬ側表示画面９に形成されたＥＬ側画素１１の関係を説明するため、これら液晶側画素１０、及び、ＥＬ側画素１１を模式的に示す図である。なお、液晶側画素１０とは、光透過量を制御可能な最小単位の表示領域の事であり、ＥＬ側画素１１とは、発光を制御可能な最小単位の表示領域のことである。
【００１４】
本実施形態では、図２（Ａ）に示すように、液晶側表示画面８の大きさ、及び、ＥＬ側表示画面９が略同一の大きさに形成されている。
このように、液晶側表示画面８の大きさと、ＥＬ側表示画面９の大きさとが略同一に形成されているため、液晶側表示画面８全体と、ＥＬ側表示画面９全体とがほぼ完全に重なった状態で、液晶表示パネル５と、有機ＥＬパネル６とを重ねて配置することができる。なお、表示装置１の表示画面とは、これら液晶側表示画面８と、ＥＬ側表示画面９とが重なった状態において表示装置１に形成される画面を意味している。
図２（Ａ）、及び、図２（Ｂ）に示すように、液晶表示パネル５に有機ＥＬパネル６を重ねて配置した際に、３つの液晶側画素１０を備える画素ユニット１０Ｕ（後述）のそれぞれと、ＥＬ側画素１１のそれぞれとが対向し重なって配置されるように、液晶側表示画面８に液晶側画素１０がマトリックス状に形成されるとともに、ＥＬ側表示画面９にＥＬ側画素１１がマトリックス状に形成されている。すなわち、液晶側表示画面８における画素ユニット１０Ｕの行、列方向における個数、及び、画素ユニット１０Ｕが形成されるピッチと、ＥＬ側表示画面９におけるＥＬ側画素１１の行、列方向における個数、及び、ＥＬ側画素１１が形成されるピッチとが一致している。
このように、液晶側表示画面８の大きさ、及び、ＥＬ側表示画面９が略同一の大きさに形成されるとともに、液晶側画素１０のそれぞれと、ＥＬ側画素１１のそれぞれとが重なって配置されるようにこれら画素が形成されているため、液晶表示パネル５の任意の画素ユニット１０Ｕに対応して、有機ＥＬパネル６のＥＬ側画素１１に白色を表示することができる。
【００１５】
図３は、表示装置１の概略構成を示す要部断面図である。
液晶表示パネル５は、図３に示すように、特定の振動方向の光のみを透過する偏光板２０、２１と、偏光板２０の背面側に配置されたガラス基板２２、及び、偏光板２１の前面側に配置されたガラス基板２３と、ガラス基板２２の背面側に形成されたカラーフィルター２９と、カラーフィルター２９の背面側に形成された対向電極２４、及び、ガラス基板２３に形成された画素電極２５と、対向電極２４上に形成された配向膜２６、及び、画素電極２５上に形成された配向膜２７と、ガラス基板２２、２３の間隙に充填された液晶２８と、偏光板２１の背面側に形成された反射層１９と、を備えている。反射層１９は、半透過板を備え、背面側からの光を透過すると共に、前面側からの光を反射する。液晶表示パネル５は、反射層１９に外光を反射させ、これを光源として画像の表示を実行する。
液晶表示パネル５は、液晶側画素１０ごとに、画素電極２５と、この画素電極２５を駆動するためのＴＦＴを備えており、このＴＦＴが後述する液晶側駆動回路３９によって制御されて、液晶側画素１０ごとの光の光透過量が制御される。
本実施形態に係る液晶表示パネル５は、カラーフィルター２９を利用してカラー化を実現している。すなわち、図３を参照して、カラーフィルター２９において、赤色のカラーフィルター２９Ｒ、緑色のカラーフィルター２９Ｇ、及び、青色のカラーフィルター２９Ｂが、カラーフィルター２９Ｒ、カラーフィルター２９Ｇ、カラーフィルター２９Ｂの順番に並んで配置されており、カラーフィルター２９Ｒに対応する画素として液晶側画素１０Ｒが、カラーフィルター２９Ｇに対応する画素として液晶側画素１０Ｇが、カラーフィルター２９Ｂに対応する画素として液晶側画素１０Ｂが、それぞれ形成されている。なお、以下の説明では、ある１つの色を表示する、液晶側画素１０Ｒ、液晶側画素１０Ｇ、及び、液晶側画素１０Ｂの３つ液晶側画素１０の組み合わせを、液晶側画素１０と区別して表現するため、画素ユニット１０Ｕという。そして、画素ユニット１０Ｕに所定の色を表示する場合、この所定の色に応じて、画素電極２５のＴＦＴが制御されて、液晶側画素１０Ｒ、１０Ｇ、１０Ｕのそれぞれにおける光透過量が制御され、液晶側画素１０Ｒ、１０Ｇ、１０Ｕのそれぞれから所定の色が表示される。
【００１６】
有機ＥＬパネル６は、図３に示すように、ガラス基板１２、１３を備えるとともに、このガラス基板１２の背面側において、陽極１４と、陰極１５と、これら陽極１４、及び、陰極１５に正孔輸送層１６、及び、電子輸送層１７を介して挟まれた発光層１８と、を備えている。
陽極１４は、正孔輸送層１６を介して発光層１８に正孔を供給する電極であり、スパッター蒸着による方法や、印刷技術を利用する方法などの各種方法によって、ガラス基板１２の表面に形成されている。陽極１４は、発光層１８が発光した光を透過できるよう、ＩＴＯ（Indium Tin Oxide）などの透明な電極の材料を用いて構成されている。なお、正孔輸送層１６は、陽極１４から発光層１８へ円滑に正孔を供給できるようにすること、及び、陰極１５から発光層１８へ供給された電子が移動してくることを防止することを目的として形成された層である。陽極１４には、画素ごとに発光画素と、この発光画素を駆動するＴＦＴ（Thin Film Transistor：薄膜トランジスター）が形成されており、ＴＦＴが後述するＥＬ側駆動回路４０に制御されて、発光層１８の発光が制御される。
陰極１５は、電子輸送層１７を介して発光層１８に電子を供給する電極であり、ＩＴＯなどの透明な電極の材料を用いて構成されている。なお、電子輸送層１７は、陰極１５から発光層１８へ円滑に電子を供給できるようにすること、及び、陽極１４から発光層１８へ供給された正孔が移動してくることを防止すること、を目的として形成された層である。
発光層１８は、陽極１４に形成されたＴＦＴの制御に応じて発光する層であり、π共役ポリマーや、低分子色素含有ポリマーなどの高分子系有機ＥＬ材料や、アルミニウム錯体などの低分子系有機ＥＬ材料などを用いて構成される。特に、本実施形態では、発光層１８は、白色発光材料を用いて構成されており、ＴＦＴの制御に応じて、白色を発光する。
本実施形態では、陽極１４、及び、陰極１５の両方が、透明な電極の材料を用いて構成されているため、有機ＥＬパネル６は、全体として透光性を有している。
【００１７】
図１に示すように、表示装置１は、液晶表示パネル５、及び、有機ＥＬパネル６のほか、制御部３０（表示制御部）と、入力部３１と、ディスク再生部３２と、音声主力部３３と、記憶部３４と、描画制御部３５と、照度センサー５３と、を備えている。
制御部３０は、表示装置１の各部を中枢的に制御するものであり、演算実行部としてのＣＰＵや、このＣＰＵに実行される基本制御プログラムや、この基本制御プログラムに係るデータ等を不揮発的に記憶するＲＯＭ、ＣＰＵに実行されるプログラムやこのプログラムに係るデータ等を一時的に記憶するＲＡＭ、その他の周辺回路等を備えている。
入力部３１は、電源をオン／オフするスイッチなどの入力デバイスに接続され、ユーザーによるこれら入力デバイスの操作を検出して、この操作に対応する操作信号を制御部３０に出力する。
ディスク再生部３２は、ＤＶＤや、ＣＤ、ＭＤなどのディスク型記録媒体に記録されたデータを読み取り、読み取ったデータに係る映像信号や、音声信号などを制御部３０に出力する。ディスク再生部３２から制御部３０に出力される映像信号には、液晶表示パネル５の画素ユニット１０Ｕに表示させるべき色を指示する信号が含まれている。
制御部３０は、ディスク再生部３２から入力された映像信号を分析し、当該映像信号に応じて液晶表示パネル５における表示を制御するための液晶用描画コマンドを生成すると共に、当該映像信号に応じて有機ＥＬパネル６のＥＬ側画素１１の発光を制御するためのＥＬ用制御コマンドを生成し、生成した液晶用描画コマンド、及び、ＥＬ用制御コマンドを描画制御部３５に出力する。液晶用描画コマンド、及び、ＥＬ用制御コマンドを生成する際の制御部３０の動作については、後述する。
音声主力部３３は、スピーカーに接続されており、デジタル音声信号をアナログ音声信号に変換するＤ／Ａコンバーターや、制御部３０の制御の下、音量レベルを変更するヴォリューム、アナログ音声信号を増幅するアンプ等を内蔵し、制御部３０から入力される音声信号に係る音声を、制御部３０により指定された音量によってスピーカーから出力する。
記憶部３４は、磁気的、光学的記録媒体または半導体記憶素子を用いた記憶装置を備え、各種のプログラムやデータ等を不揮発的に記憶する。記憶部３４には、発光制御テーブル３６が記憶されているが、これについては後述する。
照度センサー５３は、表示装置１の周囲の照度（外光の照度）を検出し、検出値を制御部３０に出力する。
【００１８】
描画制御部３５は、制御部３０から入力された液晶用描画コマンドに基づいて、ビットマップ画像データなどの液晶用描画データを生成し、液晶用ＶＲＡＭ３７に記憶するとともに、ＥＬ用制御コマンドに基づいて、ＥＬ用制御データを生成し、ＥＬ用ＶＲＡＭ３８に記憶する。そして、描画制御部３５は、液晶表示パネル５における描画タイミングに合わせて、液晶用ＶＲＡＭ３７から液晶用描画データを読み出し、液晶側駆動回路３９に順次出力するとともに、有機ＥＬパネル６における制御タイミングに合わせて、ＥＬ用ＶＲＡＭ３８からＥＬ用制御データを読み出し、ＥＬ側駆動回路４０に順次出力する。
【００１９】
液晶側駆動回路３９は、液晶側走査線駆動回路４２と、液晶側データ線駆動回路４３と、を備えており、液晶側走査線駆動回路４２には、Ｘ方向に伸びる複数本の走査線４４が接続され、液晶側データ線駆動回路４３には、Ｙ方向に伸びる複数本のデータ線４５が接続されている。なお、図１では、電流供給線は省略してある。走査線４４と、データ線４５とが交差する部分に対応して１つの液晶側画素１０が形成されており、各液晶側画素１０には、ＴＦＴを含んで構成される画素回路４６が設けられている。液晶側走査線駆動回路４２、及び、液晶側データ線駆動回路４３は、描画制御部３５から入力される液晶用描画データに基づいて、アクティブマトリックス方式によって、各液晶側画素１０に設けられた画素回路４６を協働して制御し、各液晶側画素１０に所定の色を形成する。
同様に、ＥＬ側駆動回路４０は、ＥＬ側走査線駆動回路４８と、ＥＬ側データ線駆動回路４９と、を備え、ＥＬ側走査線駆動回路４８には、Ｘ方向に伸びる複数本の走査線５０が接続され、ＥＬ側データ線駆動回路４９には、Ｙ方向に伸びる複数本のデータ線５１が接続され、走査線５０と、データ線５１とが交差する部分に対応して１つのＥＬ側画素１１が形成され、各ＥＬ側画素１１には、ＴＦＴを含んで構成される画素回路５２が設けられている。ＥＬ側走査線駆動回路４８、及び、ＥＬ側データ線駆動回路４９は、描画制御部３５から入力されるＥＬ側制御データに基づいて、アクティブマトリックス方式によって、各ＥＬ側画素１１の発光を制御する。
【００２０】
ところで、本実施形態に係る表示装置１では、反射層１９による外光の反射光を光源として、液晶表示パネル５に画像を表示する。従って、液晶表示パネル５の画素ユニット１０Ｕに明度の高い白色を表示する場合等、色によっては、視認性が低下した状態で液晶表示パネル５に表示されてしまう。本実施形態に係る表示装置１は、発光制御テーブル３６を利用して、以下の動作を実行することによりこれを防止している。
【００２１】
図４は、発光制御テーブル３６の構成を模式的に示す図である。
この発光制御テーブル３６は、制御部３０が、液晶用描画コマンド、及び、ＥＬ用制御コマンドを生成する際に、参照されるテーブルである。制御部３０は、ディスク再生部３２から映像信号が入力されると、入力された映像信号を分析するとともに、所定の条件が成立する場合、発光制御テーブル３６を参照して、液晶用描画コマンド、及び、ＥＬ用制御コマンドを生成する。
図４に示すように、発光制御テーブル３６の１件のレコードは、識別番号フィールド６０と、映像信号フィールド６１と、明度フィールド６２と、白表示フィールド６３と、を含んでいる。
【００２２】
識別番号フィールド６０には、レコード毎に位置に付与される識別番号を示す識別番号データが記憶される。
映像信号フィールド６１は、ある１つの画素ユニット１０Ｕについて、映像信号によって当該画素ユニット１０Ｕに表示させる色として指示されている色を示すデータが記憶されるフィールドであり、赤フィールド６１Ｒ、緑フィールド６１Ｇ、及び、青フィールド６１Ｂを備えている。赤フィールド６１Ｒ、緑フィールド６１Ｇ、及び、青フィールド６１Ｂには、それぞれ、映像信号によって画素ユニット１０Ｕの液晶側画素１０Ｒ、液晶側画素１０Ｇ、及び、液晶側画素１０Ｂに形成する色として指示されている色を示す色データが記憶される。図４の例では、色データが、４ビットのカラー深度で表現されている。
【００２３】
明度フィールド６２には、映像信号フィールド６１に記憶された色データが示す色の明度を示す明度データが記憶される。明度は、例えば色と明度とを対応づけて記憶するテーブルに基づいて、色ごとに一意に定められる。図４の例では、明度データが値「０」〜値「１５」の階調データで示されており、値が大きいほど、明度が高い。
白表示フィールド６３には、映像信号フィールド６１に記憶された色データが示す色を画素ユニット１０Ｕに形成する場合に、当該画素ユニット１０Ｕの背面側に形成されたＥＬ側画素１１に白色を表示するか否かを示すデータが記憶される。図４の例では、白表示フィールド６３には、白色を表示することを示すＯＮデータ、又は、表示しないことを示すＯＦＦデータのいずれかが記憶される。
ここで、ＥＬ側画素１１に白色を表示するとは、発光層１８を発光させて、ＥＬ側画素１１に白色の光を放射させることをいう。より具体的には、発光層１８の発光の度合いを値「０」〜「２５５」の階調データで表すとすると、値「２５５」に近い値で、発光層１８を発光し、ＥＬ側画素１１に白色の光を放射させることをいう。この場合、ＥＬ側画素１１には、高い輝度の白色が表示される。このように、ＥＬ側画素１１に輝度の高い白色を表示した場合、当該ＥＬ側画素１１が、当該ＥＬ側画素１１の前面側に形成された画素ユニット１０Ｕに対する光源として機能する。
【００２４】
本実施形態では、明度データが閾値「１３」以下の場合は、対応する白表示フィールド６３には、ＯＦＦデータが格納される一方、明度データが閾値「１３」より上の場合は、対応する白表示フィールド６３には、ＯＮデータが格納される。ここで、閾値は、当該閾値を下回る色については、明度が低いため、外光が十分でない場合であっても視認性が低下しない一方、当該閾値を上回る色については、明度が高いため、外光が十分でない場合、視認性が低下するような値に定められる。
そして、明度データが閾値「１３」以下の色を画素ユニット１０Ｕに形成する場合は、当該画素ユニット１０Ｕの裏面側に形成されたＥＬ側画素１１に白色を表示せず、明度データが閾値「１３」より上の色を画素ユニット１０Ｕに形成する場合は、当該画素ユニット１０Ｕの裏面側に形成されたＥＬ側画素１１に白色を表示することにより、以下の効果を得ることができる。
すなわち、明度データが閾値「１３」以下の場合、すなわち、外光が十分でないときあっても視認性が低下しない色については、当該色を形成する画素ユニット１０Ｕの裏面に形成されたＥＬ側画素１１に白色を表示しないことにより、ＥＬ側画素１１に表示した白色が、当該画素ユニット１０Ｕに形成された色の視認性に悪影響を及ぼすことを防止できる。一方、明度データが値「１３」より上の場合、すなわち、外光が十分でないときに視認性が低下する色を画素ユニット１０Ｕに表示する場合、当該画素ユニット１０Ｕの裏面側に形成されたＥＬ側画素１１に白色を表示することにより、ＥＬ側画素１１が発する白色の光が外光の反射光を補う光源として機能し、当該画素ユニット１０Ｕに形成される色の視認性の低下を防止できる。
【００２５】
次いで、表示装置１の動作について、図５のフローチャートを用いて説明する。
なお、説明の便宜のため、映像信号には、ある１つの画素ユニット１０Ｕが表示すべき色を指示する信号が含まれているものとする。
まず、制御部３０にディスク再生部３２から映像信号が入力される（ステップＳＡ１）。次に、制御部３０は、入力された映像信号を分析する（ステップＳＡ２）。この分析において、制御部３０は、画素ユニット１０Ｕが表示すべき色の色データを取得する。
次に、制御部３０は、照度センサー５３の検出値が、所定の照度閾値を上回るか否かを判別する（ステップＳＡ３）。ここで、所定の照度閾値とは、照度センサー５３の検出値が当該照度閾値を下回る場合、外光が十分でなく、視認性が低下した色が液晶表示パネル５に表示される可能性があり、照度センサー５３の検出値が当該照度閾値を上回る場合、外光が十分であり、視認性が低下した色が液晶表示パネル５に表示されることがないような値に定められる。
照度センサー５３の検出値が、所定の照度閾値を上回る場合（ステップＳＡ３：ＹＥＳ）、制御部３０は、発光制御テーブル３６を参照することなく、映像信号に基づいて、液晶用描画コマンドを生成すると共に、ＥＬ用制御コマンドを生成する（ステップＳＡ４）。ここで、生成されるＥＬ用制御コマンドは、画素ユニット１０Ｕの裏面側に形成されたＥＬ側画素１１に白色を表示させない旨の制御データを含むＥＬ用制御コマンドである。
【００２６】
次に、制御部３０は、ステップＳＡ４において生成した液晶用描画コマンド、及び、ＥＬ用制御コマンドを描画制御部３５に出力する（ステップＳＡ５）。
描画制御部３５は、液晶用描画コマンドに基づいて生成した液晶用描画データを液晶用ＶＲＡＭ３７に記憶するとともに、ＥＬ用制御コマンドに基づいて生成したＥＬ用制御データをＥＬ用ＶＲＡＭ３８に記憶し、これらデータに基づいて、液晶側駆動回路３９、及び、ＥＬ側駆動回路４０を制御して、画素ユニット１０Ｕに色を形成すると共に、当該画素ユニット１０Ｕの裏側に形成されたＥＬ側画素１１に白色を表示しない状態とする。
このように、本実施形態では、照度センサー５３の検出値が、所定の照度閾値を上回っており、外光が十分である場合は、有機ＥＬパネル６のＥＬ側画素１１に白色が表示されないため、必要のないときにＥＬ側画素１１に白色が表示されることを防止でき、コストの削減、及び、処理効率の向上を図ることができる。
【００２７】
一方、ステップＳＡ３において、照度センサー５３の検出値が、所定の照度閾値を下回る場合（ステップＳＡ３：ＮＯ）、制御部３０は、発光制御テーブル３６の映像信号フィールド６１を参照し（ステップＳＡ６）、発光制御テーブル３６のレコードの中から、ステップＳＡ２で取得した色データが映像信号フィールド６１に記憶されているレコードを特定する（ステップＳＡ７）。
次に、制御部３０は、映像信号に基づいて、液晶用描画コマンドを生成すると共に、特定したレコードの白表示フィールド６３を参照して、ＥＬ用制御コマンドを生成する（ステップＳＡ８）。具体的には、特定したレコードの白表示フィールド６３にＯＦＦデータが記憶されている場合は、画素ユニット１０Ｕの裏側に形成されたＥＬ側画素１１に白色を表示させない旨の制御データを含むＥＬ用制御コマンドを生成する一方、特定したレコードの白表示フィールド６３にＯＮデータが記憶されている場合は、画素ユニット１０Ｕの裏側に形成されたＥＬ側画素１１に白色を表示する旨の制御データを含むＥＬ用制御コマンドを生成する。
次に、制御部３０は、ステップＳＡ８において生成した液晶用描画コマンド、及び、ＥＬ用描画コマンドを描画制御部３５に出力する（ステップＳＡ５）。描画制御部３５は、液晶用描画コマンドに基づいて生成した液晶用描画データを液晶用ＶＲＡＭ３７に記憶するとともに、ＥＬ用制御コマンドに基づいて生成した液晶用描画データをＥＬ用ＶＲＡＭ３８に記憶し、これらデータに基づいて、液晶側駆動回路３９、及び、ＥＬ側駆動回路４０を制御して、画素ユニット１０Ｕに色を形成するとともに、当該画素ユニット１０Ｕの裏側に形成されたＥＬ側画素１１について、白色を表示している状態、又は、白色を表示していない状態（非発光状態）のいずれかの状態とする。
【００２８】
このように、本実施形態では、照度センサー５３の検出値が所定の照度閾値を下回る場合、すなわち、外光が十分でなく、視認性が低下した色が液晶表示パネル５に表示される可能性がある場合において、明度が低いため外光が十分でない場合に視認性が低下する色を画素ユニット１０Ｕに形成する場合、当該画素ユニット１０Ｕの裏面側に形成されたＥＬ側画素１１に白色の光を発光し、当該ＥＬ側画素１１を、外光の反射光を補う光源として機能させ、これにより、画素ユニット１０Ｕにおいて視認性が低下した状態の色が形成されることを防止する。
【００２９】
以上説明したように、本実施形態に係る表示装置１は、透光性を有し、光源に外光を利用する液晶表示パネル５と、液晶表示パネル５の裏面に重ねて配置され、画面の任意の領域で白色を表示可能な透光性の有機ＥＬパネル６と、液晶表示パネル５が有する画素に形成される色に応じて、当該画素に対応する有機ＥＬパネル６の領域に白色を表示させる制御部３０と、を備える。
これによれば、液晶表示パネル５が有する画素ユニット１０Ｕに形成される色に応じて、当該画素ユニット１０Ｕに対応する有機ＥＬパネル６の領域に白色を表示させるため、外光が十分でない場合に視認性が低下した状態で表示される色を液晶表示パネル５が有する画素ユニット１０Ｕに形成する場合であって、外光が十分でない場合、当該画素ユニット１０Ｕに対応する有機ＥＬパネル６の領域に白色を表示させて外光の不足を補うことにより、外光が十分でないことに起因して視認性が低下した色が画面に表示されることを防止することができる。
【００３０】
また、本実施形態では、有機ＥＬパネル６は、液晶表示パネル５が有する画素ユニット１０Ｕに各々対応する複数の領域（ＥＬ側画素１１）を有し、これら各領域が液晶表示パネル５の画素に重なるように、液晶表示パネル５の裏面に配置され、制御部３０は、液晶表示パネル５の各画素ユニット１０Ｕに形成される色に応じて、画素ユニット１０Ｕの裏側に位置する有機ＥＬパネル６の領域に白色を表示させる。
これによれば、液晶表示パネル５の各画素ユニット１０Ｕについて、画素ユニット１０Ｕに対応する有機ＥＬパネル６の領域に白色を表示させることにより、外光が十分でないことに起因して視認性が低下した色が画面に表示されることを防止することができる。
【００３１】
また、本実施形態では、制御部３０は、発光制御テーブル３６を参照し、所定の閾値を上回る明度の色について、当該色を形成する画素ユニット１０Ｕの裏側に位置するＥＬ側画素１１に白色を表示させる。換言すれば、制御部３０は、液晶表示パネル５において所定の閾値を上回る明度の色が形成された画素ユニット１０Ｕを検出し、この検出した画素ユニット１０Ｕの裏側に位置する有機ＥＬパネル６の領域に白色を表示させる。
ここで、所定の閾値は、当該所定の閾値を下回る色については、外光が十分でない場合であっても視認性が低下しない一方、当該所定の閾値を上回る色については、外光が十分でない場合、視認性が低下するような値に定められる。
そして、これによれば、外光が十分でない場合に、視認性が低下する色について、視認性の低下を防止できると共に、外光が十分でない場合であっても悪くならない色については、有機ＥＬパネル６の領域に白色を表示することに起因して悪影響が及ぼされることを防止できる。
【００３２】
また、本実施形態では、外光の照度を検出する照度センサー５３を備え、制御部３０は、照度センサー５３により検出された外光の照度及び液晶表示パネル５の画素に形成される色に基づいて、画素ユニット１０Ｕに対応する有機ＥＬパネル６の領域に白色を表示させる。
これによれば、照度センサー５３により外光の照度を検出することにより、外光が十分でないことを適切に検出することができ、外光が十分でないことに起因して視認性が低下するような状況の場合に、有機ＥＬパネル６に白色を表示して視認性が低下した色が画面に表示されることを防止することができる。
【００３３】
なお、上述した実施形態は、あくまでも本発明の一態様を示すものであり、本発明の範囲内で任意に変形および応用が可能である。
上述した実施形態では、発光制御テーブル３６の内容に基づいて、制御部３０が液晶用描画コマンド、及び、ＥＬ用制御コマンドを生成していたが、これらコマンドの生成方法はこれに限らず、例えば、ＲＯＭに記憶された専用のプログラムによって、これらコマンドを生成するようにしてもよい。
また、上述した実施形態では、外光が十分でない場合に視認性が低下する色と、視認性が低下しない色を、明度を基準として区別していた。しかしながら、これら色を区別する基準は明度に限らず、例えば、画素ユニット１０Ｕの光透過量を基準に区別するようにしてもよい。
【符号の説明】
【００３４】
１…表示装置、５…液晶表示パネル、６…有機ＥＬパネル（自発光型表示パネル）、１０Ｕ…画素ユニット（液晶表示パネルが有する画素）、１１…ＥＬ側画素（領域）、３０…制御部（表示制御部）、５３…照度センサー。
【図１】
2010243546.tif 000003
【図２】
2010243546.tif 000004
【図３】
2010243546.tif 000005
【図４】
2010243546.tif 000006
【図５】
2010243546.tif 000007